(57)【要約】【課題】本発明は、均一な衝撃吸収性能を有する衝撃吸収構造を備えた車両用シートを、シンプルな構造で安定的に提供することを目的とする。【解決手段】後端を支点として、車体側に対し回動可能に連結された座部と、当該座部の前端に連結され、該座部に対し一定以上の上向き荷重が作用したときに破断して衝撃を吸収する衝撃吸収プレート３１とを有する車両用シートであって、前記衝撃吸収プレート３１は、車体の前後方向に向けて延びる複数の脆弱部に挟まれた引き剥がし部を有し、前記座部は、衝撃吸収プレート３１における脆弱部の略延長上に設定した支点で折れ曲がることにより該座部の回動方向を規制する規制ブラケット８１によって保持され、当該規制ブラケット８１における支点よりも後方部を車体側に固定すると共に、該規制ブラケット８１又は座部の前端を前記衝撃吸収プレート３１における引き剥がし部の前端と連結して、当該衝撃吸収プレート３１における少なくとも後端部を車体側に固定したものである。【選択図】図２
2008222021.tif 000002
【特許請求の範囲】
【請求項１】
後端を支点として、車体側に対し回動可能に連結された座部と、
当該座部の前端に連結され、該座部に対し一定以上の上向き荷重が作用したときに破断して衝撃を吸収する衝撃吸収プレートとを有する車両用シートであって、
前記衝撃吸収プレートは、車体の前後方向に向けて延びる複数の脆弱部に挟まれた引き剥がし部を有し、
前記座部は、衝撃吸収プレートにおける脆弱部の略延長上に設定した支点で折れ曲がることにより該座部の回動方向を規制する規制ブラケットによって保持され、
当該規制ブラケットにおける支点よりも後方の部分を車体側に固定すると共に、当該規制ブラケット又は座部の前端を前記衝撃吸収プレートにおける引き剥がし部の前端と連結して、
当該衝撃吸収プレートにおける少なくとも後端部を車体側に固定したことを特徴とする車両用シート。
【請求項２】
請求項１に記載した車両用シートにおいて、
当該車両用シートにおける座部は、
乗員が着座するシートクッションと、
当該シートクッションが載置されるスライダーと、
当該スライダーに対し長手方向へ摺動自在に係合するレールとからなるものであって、
衝撃吸収プレートは、前記レールの下側に連結された規制ブラケットとフロア面との間に設置したことを特徴とする車両用シート。
【請求項３】
請求項１に記載した車両用シートにおいて、
当該車両用シートにおける座部は、乗員が着座するシートクッションからなるものであって、
衝撃吸収プレートは、シートクッションの下側に連結された規制ブラケットと当該規制ブラケットが載置されるスライダーとの間に設置したことを特徴とする車両用シート。
【請求項４】
請求項１乃至請求項３の何れかに記載した車両用シートにおいて、
衝撃吸収プレートの前部であって脆弱部の前方には切断部が形成され、この切断部の内側に上方に膨出して形成され前記座部の前端を取り付ける凸部が設けられ、この凸部の下面に前記座部の荷重を受ける荷重受け部が付設されていることを特徴とする車両用シート。
【請求項５】
請求項１乃至請求項４の何れかに記載した車両用シートにおいて、
衝撃吸収プレートの下面であって引き剥がし部の周囲を、車体側に溶接してなることを特徴とする車両用シート。
【請求項６】
請求項１乃至請求項４の何れかに記載した車両用シートにおいて、
衝撃吸収プレートの上面であって引き剥がし部の周囲に対し、補強部材を溶接してなることを特徴とする車両用シート。
【請求項７】
請求項１乃至請求項６の何れかに記載した車両用シートにおいて、
脆弱部は、車両前後方向に断面積が変化する不等断面積溝であることを特徴とする車両用シート。
【請求項８】
請求項７に記載した車両用シートにおいて、
不等断面積溝は、車両後方に向かって幅が狭くなる又は溝が浅くなるテーパー溝であることを特徴とする車両用シート。
【請求項９】
請求項１乃至請求項８の何れかに記載した車両用シートにおいて、
衝撃吸収プレートは、脆弱部に沿って穿設した貫通孔を有することを特徴とする車両用シート。
【請求項１０】
請求項９に記載した車両用シートにおいて、
衝撃吸収プレートに穿設した貫通孔は、２本の脆弱部上に対し左右交互に配置したことを特徴とする車両用シート。
【請求項１１】
請求項１乃至請求項１０の何れかに記載した車両用シートにおいて、
規制ブラケットにおける支点はヒンジ構造からなり、該規制ブラケットがヒンジ構造の回転軸を中心として折れ曲がることにより、座部を回動可能としたことを特徴とする車両用シート。
【請求項１２】
請求項１乃至請求項１０の何れかに記載した車両用シートにおいて、
規制ブラケットにおける支点は略Ｖ字形状の切り欠き部からなり、該規制ブラケットが切り欠き部側に折れ曲がることにより、座部を回動可能としたことを特徴とする車両用シート。
【請求項１３】
請求項１乃至請求項１２の何れかに記載した車両用シートにおいて、
座部の前端が所定の高さにまで上昇したときに、それ以降の上昇を阻止するストッパ部材を付設したことを特徴とする車両用シート。
【請求項１４】
請求項１３に記載した車両用シートにおいて、
ストッパ部材は、弧状長穴を有し車体側に立設固定したプレートと、
座部の前端から側方に突出すると共に、その先端が前記長穴内に挿通するピンとからなり、
衝撃発生時に前記座部の前端が所定の高さにまで上昇したときには、前記ピンがプレートの長穴上端に当接して、それ以降の上昇を阻止することを特徴とする車両用シート。
【請求項１５】
請求項１４に記載した車両用シートにおいて、
ストッパ部材における弧状長穴の上端の周縁には、緩衝部材を設けたことを特徴とする車両用シート。
【発明の詳細な説明】
【技術分野】
【０００１】
本発明は、車両衝突時に生ずる衝撃エネルギーを吸収して乗員に及ぶ影響を低減する車両用シートに関し、特に、一定以上の負荷を受けた際に破断して衝撃エネルギーを吸収する「衝撃吸収プレート」を備えた車両用シートに関するものである。
【背景技術】
【０００２】
車両衝突時に生ずる衝撃エネルギーを吸収して、乗員に及ぶ影響を低減する技術に関して従来より種々提案されている。とりわけ「車両用シート」に衝撃吸収構造を設けた場合には、乗員に最も近い部位で衝撃を低減できるので、特に効果的といえる。
【０００３】
斯様な「衝撃吸収構造を備えた車両用シート」に関しては、特許文献１に記載の技術が代表例として挙げられる。この特許文献１に記載の技術とは、図１１に示すように、車体と車両用シートの間に、一定以上の負荷を受けた際に破断して衝撃エネルギーを吸収する「衝撃吸収プレート」を介在させたものである。当該特許文献１に記載の「シートマウント100」は、車体側に固定されるシートブラケット101と、該シートブラケット101の上面102uに配置されるレール103と、該レール103にスライド可能に設けられるレールアッパ110と、前記シートブラケット101の下面102sに溶接することによって固定される衝撃吸収プレート104F, 104Rとを備えるものである。尚、レールアッパ110側にはシートの座部が取り付けられることとなる。
【０００４】
レール103の前部及び後部には貫通孔103h, 103hが設けられ、シートブラケット101の上面102uの前部及び後部にはスロット孔101f, 101rが設けられ、衝撃吸収プレート104F, 104Rには貫通孔104h, 104hが設けられている。そして、これらの貫通孔103h, 101f, 104hにボルト105を通すと共に、衝撃吸収プレート104Fの下方からナット106で締め付けてなるものである。貫通孔103h, 101r, 104hも同様に、ボルト105を通しナット106で締め付けてなるものである。
【０００５】
かかる技術によれば、当該車両が他の車両に追突されてしまい、上記衝撃吸収プレート104F, 104Rに対して後方から前方に向けて衝撃荷重が及んだ場合には、ボルト105, 105が衝撃吸収プレート104F, 104Rを破断させることとなり、効果的に衝撃を吸収することができるため、有効な技術であるといえる。
【０００６】
しかしながら上記特許文献1に記載の技術にあっては、衝撃吸収プレート104F, 104Rを破断させ衝撃を吸収する構造上、確実な衝撃吸収を実現するためには、衝撃吸収プレート104F, 104Rが備える「貫通孔104h, 104h」や「ボルト105, 105」の加工時に、厳密な寸法管理が要求されることとなる。のみならず、前記ボルトの締付トルク等、組立時においても厳密な管理が必要となる。そのため、衝撃荷重による破断を均一なものとし、確実な衝撃吸収を実現するためには、製造工程のあらゆる場面において厳密な管理が要求されることとなり、煩に堪えないという問題があった。
【０００７】
本発明は上記問題に鑑みて、衝撃吸収プレートを押し潰すのではなく、衝撃吸収プレートの一部を脆弱部に沿って引き剥がす構成とすることにより、均一な衝撃吸収性能を有する衝撃吸収構造を安定的に提供できることに気付き案出されたものであり、その解決しようとする課題は以下の通りである。
【特許文献１】特開2001-260726号公報（図5）
【発明の開示】
【発明が解決しようとする課題】
【０００８】
本発明の課題は、均一な衝撃吸収性能を有する衝撃吸収構造を備えた車両用シートを、シンプルな構造で安定的に提供することを目的とするものである。
【課題を解決するための手段】
【０００９】
上記課題を解決すべく、本発明が採った手段は以下の通りである。
まず、請求項１に係る発明は、後端を支点として、車体側に対し回動可能に連結された座部４１と、当該座部４１の前端に連結され、該座部４１に対し一定以上の上向き荷重が作用したときに破断して衝撃を吸収する衝撃吸収プレート３１とを有する車両用シート１０であって、前記衝撃吸収プレート３１は、車体の前後方向に向けて延びる複数の脆弱部５１に挟まれた引き剥がし部５２を有し、前記座部４１は、衝撃吸収プレート３１における脆弱部５１の略延長上に設定した支点で折れ曲がることにより該座部４１の回動方向を規制する規制ブラケット８１によって保持され、当該規制ブラケット８１における支点よりも後方部を車体側に固定すると共に、該規制ブラケット８１又は座部４１の前端を前記衝撃吸収プレート３１における引き剥がし部５２の前端と連結して、当該衝撃吸収プレート３１における少なくとも後端部を車体側に固定したことを特徴とするものである。
【００１０】
次に、請求項２に係る発明は、請求項１に記載した車両用シート１０において、当該車両用シート１０における座部４１は、乗員が着座するシートクッションと、当該シートクッションが載置されるスライダーと、当該スライダーに対し長手方向へ摺動自在に係合するレールとからなるものであって、衝撃吸収プレート３１は、前記レールの下側に連結された規制ブラケット８１とフロア面との間に設置したことを特徴とするものである。
【００１１】
また、請求項３に係る発明は、請求項１に記載した車両用シート１０において、当該車両用シート１０における座部４１は、乗員が着座するシートクッションからなるものであって、衝撃吸収プレート３１は、シートクッションの下側に連結された規制ブラケット８１と当該規制ブラケット８１が載置されるスライダーとの間に設置したことを特徴とするものである。
【００１２】
さらに、請求項４に係る発明は、請求項１乃至請求項３の何れかに記載した車両用シート１０において、衝撃吸収プレート３１の前部であって脆弱部５１の前方には切断部４５が形成され、この切断部４５の内側に上方に膨出して形成され前記座部４１の前端を取り付ける凸部３５が設けられ、この凸部３５の下面に前記座部４１の荷重を受ける荷重受け部４７が付設されていることを特徴とするものである。
【００１３】
請求項５に係る発明は、請求項１乃至請求項４の何れかに記載した車両用シート１０において、衝撃吸収プレート３１の下面であって引き剥がし部５２の周囲を、車体側に溶接してなることを特徴とするものである。
【００１４】
請求項６に係る発明は、請求項１乃至請求項４の何れかに記載した車両用シート１０において、衝撃吸収プレート３１の上面であって引き剥がし部５２の周囲に対し、補強部材を溶接してなることを特徴とするものである。
【００１５】
請求項７に係る発明は、請求項１乃至請求項６の何れかに記載した車両用シート１０において、脆弱部５１は、車両前後方向に断面積が変化する不等断面積溝であることを特徴とするものである。
【００１６】
請求項８に係る発明は、請求項７に記載した車両用シート１０において、不等断面積溝は、車両後方に向かって幅が狭くなる又は溝が浅くなるテーパー溝であることを特徴とするものである。
【００１７】
請求項９に係る発明は、請求項１乃至請求項８の何れかに記載した車両用シート１０において、衝撃吸収プレート３１は、脆弱部５１に沿って穿設した貫通孔５５を有することを特徴とするものである。
【００１８】
請求項１０に係る発明は、請求項９に記載した車両用シート１０において、衝撃吸収プレート３１に穿設した貫通孔５５は、２本の脆弱部５１上に対し左右交互に配置したことを特徴とするものである。
【００１９】
請求項１１に係る発明は、請求項１乃至請求項１０の何れかに記載した車両用シート１０において、規制ブラケット８１における支点はヒンジ構造からなり、該規制ブラケット８１がヒンジ構造の回転軸を中心として折れ曲がることにより、座部４１を回動可能としたことを特徴とするものである。
【００２０】
請求項１２に係る発明は、請求項１乃至請求項１０の何れかに記載した車両用シート１０において、規制ブラケット８１における支点は略Ｖ字形状の切り欠き部８４からなり、該規制ブラケット８１が切り欠き部８４側に折れ曲がることにより、座部４１を回動可能としたことを特徴とするものである。
【００２１】
請求項１３に係る発明は、請求項１乃至請求項１２の何れかに記載した車両用シート１０において、座部４１の前端が所定の高さにまで上昇したときに、それ以降の上昇を阻止するストッパ部材７１を付設したことを特徴とするものである。
【００２２】
請求項１４に係る発明は、請求項１３に記載した車両用シート１０において、ストッパ部材７１は、弧状長穴７３を有し車体側に立設固定したプレート７１と、座部４１の前端から側方に突出すると共に、その先端が前記長穴内に挿通するピン８２とからなり、衝撃発生時に前記座部４１の前端が所定の高さにまで上昇したときには、前記ピン８２がプレート７１の長穴上端に当接して、それ以降の上昇を阻止することを特徴とするものである。
【００２３】
請求項１５に係る発明は、請求項１４に記載した車両用シート１０において、ストッパ部材７１における弧状長穴７３の上端の周縁には、緩衝部材を設けたことを特徴とするものである。
【発明の効果】
【００２４】
上記手段を採ったことにより、得られる効果は以下の通りである。
まず、請求項１における車両用シート１０を構成する座部４１は、その後端付近に「支点」を有する規制ブラケット８１により保持されて、車体側に対し回動可能に連結されている。また、座部４１の前端には、該座部４１に対し一定以上の上向き荷重が作用したときに破断して衝撃を吸収する衝撃吸収プレート３１が連結されている。当該衝撃吸収プレート３１は、車両前後方向に延びる複数の脆弱部５１に挟まれた引き剥がし部５２を有するものである。該衝撃吸収プレート３１は少なくともその後端部が車体側に連結され、該衝撃吸収プレート３１における引き剥がし部５２の前端が規制ブラケット８１又は座部４１の前端に連結されている。そして、これら脆弱部５１の略延長上に、前記規制ブラケット８１の「支点」が存在することとなる。
【００２５】
かかる構成の下、当該車両用シート１０に衝撃荷重が及んだ場合には、座部４１の前端を上昇させる方向に回動することとなる。このとき、当該座部４１を保持する規制ブラケット８１が、衝撃吸収プレート３１における脆弱部５１の略延長上に在る「支点」で折れ曲がるため、該座部４１は車体の真後ろ方向に回動するよう（車体の左右方向には回動しないよう）規制されることとなる。そのため、当該座部４１の前端に連結された引き剥がし部５２が確実に上方へと引っ張られ、脆弱部５１の前部から後部に向け順次破断して、荷重エネルギーを確実に吸収することができる。尚、当該衝撃吸収プレート３１に形成した脆弱部５１の寸法管理を厳密に行えば、衝撃荷重の吸収を簡便に且つ安定して行わせることができる。そのため、本請求項に係る発明によれば、均一な衝撃吸収性能を有する衝撃吸収構造を備えた車両用シート１０を、シンプルな構造で安定的に提供することが可能となるのである。
【００２６】
次に、請求項２に係る発明においては、衝撃吸収プレート３１をレールの下側に連結された規制ブラケット８１とフロア面との間に設置するだけで、衝撃吸収が実現することとなる。よって、本請求項に係る発明によれば、衝撃吸収構造を少ない部品点数で実現できるため、組立が容易となり、安価に提供することができ、尚かつ、故障のリスクを抑えることもできる。また、衝撃吸収が少ない追加部品で実現することから、従来製品への適用も容易となる。
【００２７】
また、請求項３に係る発明において衝撃吸収プレート３１は、シートクッションの下側に連結された規制ブラケット８１と当該規制ブラケット８１が載置されるスライダーとの間に設置しているため、当該スライダーの前後位置の如何にかかわらず、衝撃吸収プレート３１へと及ぶ荷重の変化を少なく保つことができる。よって本請求項に係る発明によれば、スライダーの前後位置が何れの箇所に在ろうとも、ほぼ均一な衝撃吸収が可能となるのである。
【００２８】
請求項４に係る発明では、衝撃吸収プレート３１の前部には切断部４５が形成され、この切断部４５の内側に座部４１の前端を取り付ける凸部３５が設けられ、この凸部３５の下面に座部４１の荷重を受ける「荷重受け部４７」が付設されているので、凸部３５が座部４１の重さにより変形しないようにすることが可能となるのである。
【００２９】
請求項５に係る発明は、衝撃吸収プレート３１の下面における「引き剥がし部５２の周囲」を車体側に溶接しているため、本車両用シート１０に衝撃荷重が及んだ際、該車両用シート１０の座部４１は、引き剥がし部５２だけを確実に引き剥がすこととなるため、設計上の衝撃吸収性能を確実に発揮することが可能となるのである。
【００３０】
請求項６に係る発明は、衝撃吸収プレート３１の上面における「引き剥がし部５２の周囲」に対し、別部材の補強部材を溶接しているため、本車両用シート１０に衝撃荷重が及んだ際、当該引き剥がし部５２の周囲を補強部材が押さえ込むこととなる。従って、該車両用シート１０の座部４１は、引き剥がし部５２だけを確実に引き剥がすこととなるため、設計上の衝撃吸収性能を確実に発揮することが可能となるのである。
【００３１】
請求項７に係る発明では、脆弱部５１は、車両前後方向に断面積が変化する不等断面積溝であるので、衝撃吸収プレート３１が破断するために必要な衝撃荷重を変化させることができる。よって本請求項に係る発明によれば、衝撃荷重を容易に変化させることができるため、破断の初期から後期に至るまで、必要な衝撃吸収性能を発揮することが可能となるのである。
【００３２】
請求項８に係る発明では、不等断面積溝は、車両後方に向かって幅が狭くなる又は溝が浅くなるテーパー溝であるので、破断が進むにつれて、破断に必要な衝撃荷重を高くすることができる。これにより、例えば、破断初期で、衝撃吸収プレート３１の破断を起き易くして衝撃荷重の急激な立ち上がりを抑え、破断後期で、衝撃吸収プレート３１の破断を起き難くして衝撃荷重の低下を抑えることができる。よって本請求項に係る発明によれば、衝撃荷重を安全かつ効果的に吸収することが可能となるのである。
【００３３】
請求項９に係る発明における衝撃吸収プレート３１は、脆弱部５１に沿って貫通孔５５を穿設しているため、脆弱部５１の機械的強度を任意に低減させることができる。脆弱部５１の強度を低減させることにより「引き剥がししろ」を長い寸法にわたって有効に活用できるので、衝撃荷重を徐々に吸収することができる。特に、本発明の如き「引き剥がし」を用いた衝撃吸収構造において、乗員に与える衝撃が最大となるのは、衝撃吸収作用の終了直前時である。従って、当該衝撃吸収プレート３１の脆弱部５１における奥の方（「引き剥がししろ」の最終部分付近）に貫通孔５５を穿設することにより、衝撃吸収作用の終了直前時の衝撃をも吸収することができる。そのため本請求項に係る発明によれば、乗員に及ぶ影響を更に低減させることが可能となるのである。
【００３４】
請求項１０に係る発明における衝撃吸収プレート３１には、２本の脆弱部５１に対して左右交互に貫通孔５５を穿設したため、前記「引き剥がし」が急停止することなく継続的に行わせることとなり、衝撃吸収作用の終了直前時の衝撃を漏れなく吸収することができる。そのため本請求項に係る発明によれば、乗員に及ぶ影響を更に一層低減させることが可能となるのである。
【００３５】
請求項１１に係る発明における規制ブラケット８１は、その支点がヒンジ構造からなるため、座部４１の前端が上昇した際には、該規制ブラケット８１がヒンジ構造の回転軸を中心として折れ曲がることとなる。従って、当該規制ブラケット８１に保持された座部４１は、前記ヒンジ構造の回転軸を中心とした軸心廻りにのみ回動する。そのため本請求項に係る発明によれば、規制ブラケット８１の折れ曲がり方向が規制されるので、それに伴い、該規制ブラケット８１に保持された座部４１の回動方向を確実に規制することができるのである。
【００３６】
請求項１２に係る発明における規制ブラケット８１は、その支点が略Ｖ字形状の切り欠き部８４からなるため、座部４１の前端が上昇した際には、該規制ブラケット８１が切り欠き部８４側に折れ曲がることとなる。従って、当該規制ブラケット８１に保持された座部４１は、略Ｖ字形状の切り欠き部８４の先鋭部分を支点として回動するのである。そのため本請求項に係る発明によれば、規制ブラケット８１の折れ曲がり方向が規制されるので、それに伴い、該規制ブラケット８１に保持された座部４１の回動方向を確実に規制することができるのである。また、簡易な構造であるため容易且つ安価に製造できる。
【００３７】
請求項１３に係る発明では、座部４１の前端が所定の高さ以上に上昇してしまうのを防止するストッパ部材７１が付設されているので、座部４１の所定の高さ以上の回動を阻止することができる。座部４１の所定値以上の回動を阻止できるため、衝撃による座部４１の姿勢の乱れを抑えることができる。
【００３８】
請求項１４に係る発明においてストッパ部材７１は、車体側に立設固定したプレートに設けた弧状長穴７３に、座部４１の前端から側方に突出したピン８２を挿通させてなる機構としたので、幅方向に薄く構成することができる。即ち本請求項に係る発明によれば、ストッパ部材７１を薄く構成でき、配置に必要なスペースが少なくなるので、シート幅の拡大を最小限に抑えることができる。尚、本請求項におけるストッパ部材７１は幅方向に薄く構成できることから、該ストッパ部材７１をシートのサイドカバー内に納めることができ、乗員に危害感を与えることもない。
【００３９】
請求項１５に係る発明において車体側に立設固定したプレートは、弧状長穴７３の上端の周縁に緩衝部材を設けたので、当該緩衝部材によって、さらに衝撃を吸収することができる。
【発明を実施するための最良の形態】
【００４０】
以下、本発明の実施形態を、添付した図１乃至図１０を用いて説明する。
【００４１】
最初に本発明に係る『車両用シート１０』は、「座部４１」と「衝撃吸収プレート３１」と「規制ブラケット８１」と「ストッパ部材７１」とを有するものである。以下、各構成要素毎に説明する。尚、以下の説明中、「前」、「後」、「上」、「下」、「左」、「右」は各々車両用シート１０に座った乗員から見た方向を示す。
【００４２】
本発明において「座部４１」は、少なくとも「乗員が着座するシートクッション」を含むものであって、その「後端」が規制ブラケット８１（後述）を介して車両に対し回動可能に連結されるものである。尚、衝撃吸収プレート３１（後述）を、レールの下側に連結された規制ブラケット８１とフロア面との間に設置する実施形態を採用した場合、当該「座部４１」は、前記シートクッションに加え、当該シートクッションが載置される「スライダー１８」と、当該スライダー１８に対し長手方向へ摺動自在に係合する「レール１７」とを含むこととなる。
【００４３】
本発明において「衝撃吸収プレート３１」は、図３又は図４に示すように、車両前後方向に延びる複数の「脆弱部５１」に挟まれた「引き剥がし部５２」を有するものであり、当該引き剥がし部５２の前端が上記座部４１（又は、後述の「規制ブラケット８１」）の前端に連結されると共に、該衝撃吸収プレート３１における少なくとも後端部が車体側に固定されるものである。そして、当該座部４１の前端に対し一定以上の上向き荷重が作用した際には、前記引き剥がし部５２の両側に形成された脆弱部５１が順次破断することにより、衝撃が徐々に吸収されることとなる。
【００４４】
上記脆弱部５１は、衝撃プレート３１上に連続して穿設した貫通孔５５として構成したり、或いは、該衝撃プレート３１の上面に対しプレス加工を施すことにより形成した断面略Ｖ字形状の溝として構成することが考えられる。更には、図６又は図７の断面図に示すように、プレート３１の上下両面からプレス加工を施すことにより形成した溝状の薄肉として構成する場合のみならず、図８の断面図に示すように、当該プレート３１の一方の面からプレス加工を施すことにより形成した面状の薄肉として構成してもよい。
【００４５】
なお上記脆弱部５１が、車両前後方向に断面積が変化する不等断面積溝からなる場合には、当該脆弱部５１の破断に要する衝撃荷重が変化することとなる。この不等断面積溝を車両後方に向かって幅が狭くなる又は溝が浅くなるテーパー溝とした場合には、破断初期で衝撃吸収プレート３１の破断を起き易くして衝撃荷重の急激な立ち上がりを抑え、破断後期で衝撃吸収プレート３１の破断を起き難くして衝撃荷重の低下を抑えることが可能となる。
【００４６】
また、図４に示すように、上記脆弱部５１に沿って貫通孔５５を穿設した場合には、脆弱部５１の機械的強度を任意に低減させることとなる。そのため、「引き剥がししろ」を長い寸法にわたって有効に活用できるので、衝撃荷重を徐々に吸収することができる。特に、本発明の如き「引き剥がし」を用いた衝撃吸収構造において、乗員に与える衝撃が最大となるのは、図５（ｂ）のグラフに示すように、衝撃吸収作用の終了直前時である。何故なら、衝撃吸収作用の終了直前時は荷重エネルギーが小さくなっているため、前記衝撃吸収プレート３１の脆弱部５１の破断ができなくなり、前記「引き剥がし」が急停止して、残余の衝撃エネルギーが乗員へと及んでしまうからである。かかる事情に鑑み、当該衝撃吸収プレート３１の脆弱部５１における奥の方（「引き剥がししろ」の最終部分付近）に貫通孔５５を穿設することにより、敢えて当該脆弱部５１の強度を下げ、「衝撃吸収作用の終了直前時」の「小さな荷重エネルギー」によっても前記「引き剥がし」を継続的に行わせることが考えられる。かかる構成を採ることにより、図５（ｃ）のグラフに示すように、衝撃吸収作用の終了直前時の衝撃をも吸収することができる。そのため、乗員に及ぶ影響を更に低減させることが可能となる。尚、図４に示すように、貫通孔５５を２本の脆弱部５１に対して左右交互に穿設することで、前記「引き剥がし」が急停止することなく継続的に行わせることとなり、衝撃吸収作用の終了直前時の衝撃を吸収することができる。そのため、乗員に及ぶ影響を更に一層低減させることが可能となる。
【００４７】
さらに、上記衝撃吸収プレート３１は、その下面における「引き剥がし部５２の周囲」を取付対象物に対して（又は、車体側に直接）溶接するとよい。かかる構成を採ることにより、本車両用シート１０に衝撃荷重が及んだ際、該車両用シート１０の座部４１は、引き剥がし部５２だけを確実に引き剥がすこととなるため、設計上の衝撃吸収性能を確実に発揮することが可能となる。
【００４８】
また、図２に示すように、当該衝撃吸収プレート３１の前部に切断部４５を形成すると共に、該切断部４５の内側に、座部４１の前端を取り付けるための凸部３５を形成して、この凸部３５の下面に座部４１の荷重を受ける「荷重受け部４７」を付設した場合には、座部４１の重さによる前記凸部３５の変形を防止できる。
【００４９】
さらに、図３に示すように、上記衝撃吸収プレート３１の上面における「引き剥がし部５２の周囲」に対し、別部材の補強部材３６を溶接した場合には、本車両用シート１０に衝撃荷重が及んだ際、当該引き剥がし部５２の周囲を補強部材３６が押さえ込むこととなる。従って、該車両用シート１０の座部４１は、引き剥がし部５２だけを確実に引き剥がすこととなるため、設計上の衝撃吸収性能を確実に発揮することが可能となる。尚、当該補強部材３６に対し、上記荷重受け部４７を一体に設けてもよい。
【００５０】
本発明において「規制ブラケット８１」は、上記座部４１を保持すると共に、当該座部４１の前端が上昇したときに該座部４１の後端付近に有する「支点」で折れ曲がることによって、該座部４１を車体側に対し回動可能に連結するものである。尚、該規制ブラケット８１における支点よりも後方の部分は車体側に固定されることとなる。当該規制ブラケット８１における支点は、上記衝撃吸収プレート３１における脆弱部５１の略延長上に配置されるため、該規制ブラケット８１の前端に連結された座部４１の前端の上昇に伴って、該規制ブラケット８１が支点において折れ曲がった場合には、前記座部４１は車体の真後ろ方向へと回動することとなる。即ち、当該規制ブラケット８１は、上記座部４１が車体の左右方向には回動しないよう規制しているのである。何故なら、上記衝撃吸収プレート３１における「引き剥がし部５２」の引き剥がし方向が、脆弱部５１に対して左右方向にズレた場合には当該脆弱部５１の破断に更に大きな衝撃荷重を要することから、該脆弱部５１の破断不足に由来する荷重エネルギーの吸収不良を防止する必要があるためである。上記作用を奏するものであれば当該規制ブラケット８１は特段その形状・構造は限定されるものではないが、図２に示すように、底面部と一対の側壁からなり、両側壁における長手方向の略中央部に略Ｖ字形状の切り欠き部８４からなる「支点」を設けた構成とすると、容易且つ安価に製造できて好適である。更に当該支点としては、ヒンジ構造（図示しない）を採用してもよい。
【００５１】
本発明において「ストッパ部材７１」は、座部４１が所定の高さ以上に回動してしまうのを防止して、衝撃による該座部４１の姿勢の乱れを防止するものである。斯様な作用を奏するものであれば当該ストッパ部材７１は特段その形状・構造は限定されるものではないが、図１及び図２に示すように、プレート状のストッパ部材７１として構成すると好適である。かかるストッパ部材７１は、弧状長穴７３を有し車体側に立設固定したプレート７２とからなるものである。当該長穴７３内には、規制ブラケット８１の前端から側方に突出するピン８２が挿通することとなる。このプレート状のストッパ部材７１によれば、図１０（ａ），図１０（ｂ）に示すように、衝撃発生時に前記規制ブラケット８１の前端（座部４１の前端に相当）が所定の高さにまで上昇したときには、前記ピン８２がプレート７２の長穴７３上端に当接して、それ以降の上昇を阻止することとなる。尚、弧状長穴７３とピン８２との間に摩擦を生じさせる構造を採ることにより、前記ピン８２が弧状長穴７３の上端に当接した際に生じる衝撃を低減させるものとしてもよい。また、特に図示はしないが、前記ストッパ部材７１における弧状長穴７３の上端の周縁に「緩衝部」を一体に設け、前記ピン８２が弧状長穴７３の上端に当接した際、「緩衝部」が塑性変形（或いは、破断）することにより、衝撃を低減させるものとしてもよい。更には、前記ストッパ部材７１における弧状長穴７３の上端の周縁に、別部材に係る「緩衝部材」を設け、前記ピン８２が弧状長穴７３の上端に当接した際に生じる衝撃を低減させるものとしてもよい。斯様な構成を採ることにより、乗員に及ぼす衝撃を更に低減させることが可能となる。尚、当該ストッパ部材７１に関し、（図示しない）リンク機構を採用してもよい。本発明においてリンク機構は、車体側と規制ブラケット８１の間に介在させて、通常時には折り畳まれているが、衝撃発生時であって、座部４１の前端が所定の高さ上昇したときには伸びて、それ以降の上昇を阻止することとなる。
【実施例１】
【００５２】
本発明を実施するための最良の形態を、添付図面に示す実施例を用いて説明する。
【００５３】
図１は、実施例１に係る車両用シート１０を左斜め前方より示したものである。本実施例に係る車両用シート１０は、車体１１側に締結部材１２，１２を介して取り付けられるフロントシートブラケット１３及びリヤシートブラケット１４と、これらフロントシートブラケット１３及びリヤシートブラケット１４に取り付けられるレール１７と、このレール１７に係合してスライド可能に設けられるスライダー１８と、このスライダー１８の上部に取り付けられる規制ブラケット８１と、この規制ブラケット８１により下方から支持されるシート座部４１及び背もたれ部４３と、を基本構成とする。
【００５４】
図２は、図１に示す車両用シート１０の衝撃吸収構造の分解斜視図であり、規制ブラケット８１とスライダー１８との間に介在させる衝撃吸収プレート３１の取付構造を示す。尚、本実施例において当該スライダー１８及びレール１７は「車体側」に相当するものである。但し、上記衝撃吸収プレート３１をレールの下側に連結された規制ブラケット８１とフロア面との間に設置する実施形態を採用した場合、これらスライダー１８及びレール１７は「座部４１」に相当するものとなる。本実施例では当該スライダー１８の上面にプレート状のストッパ部材７１が取り付けられ、このプレート状のストッパ部材７１の上面に衝撃吸収プレート３１が配置される。この衝撃吸収プレート３１の前端に凸部３５が形成されており、この凸部３５に規制ブラケット８１の前端が連結されている。
【００５５】
本実施例において衝撃吸収プレート３１は、スライダー１８上（車体側）に載置固定されるストッパ部材７１上に配置され、該ストッパ部材７１と共にリベット３３，３３によって前記スライダー１８の上面に固定され、衝撃吸収プレート３１の前端に形成した凸部３５に締結部材（ボルト・ナット）を介して規制ブラケット８１の前端が取り付けられている。
【００５６】
本実施例においてシート座部４１は規制ブラケット８１によって保持されている。この規制ブラケット８１は底面部と一対の側壁からなり、該側壁のうち長手方向の略中央部には略Ｖ字形状の切り欠き部８４を有している。また、当該規制ブラケット８１の上面側には補強部材８３が配置されているため、衝撃荷重の発生によりシート座部４１の前端が上方へ引き上げられた際には、当該補強部材８３の後端部が該規制ブラケット８１の底面部を下方に押圧するため、該規制ブラケット８１の底面部が側壁の切り欠き部８４において折れ曲がることとなる。
【００５７】
上記規制ブラケット８１は前記衝撃吸収プレート３１の上側に配置されると共に、その前端は、当該衝撃吸収プレート３１の凸部３５に対し締結部材により固定されている。そのため上記規制ブラケット８１の折れ曲がりに伴って、衝撃吸収プレート３１における「引き剥がし部５２」の引き剥がしが行われることとなる。この「引き剥がし」のプロセスは、図９（ａ），（ｂ），（ｃ）及び（ｄ）に示す通りである。図９（ａ）は何等の衝撃荷重も及んでいない通常の状態である。そして、乗員が後方から衝撃を受けると慣性により背もたれ部４３に後方向に力がかかり、車両用シート１０を後方に移動させようとする。乗員が所定値以上の衝撃荷重を受けると、前述した衝撃吸収プレート３１における凸部３５が規制ブラケット８１により引き上げられるため、図９（ｂ）に示すように「引き剥がし」が開始され、図９（ｃ），図９（ｄ）へと「引き剥がし」が進むこととなる。
【００５８】
そして、本実施例においてはプレート状のストッパ部材７１を有しているので、図１０（ａ），図１０（ｂ）に示すように、衝撃発生時に前記規制ブラケット８１の前端（座部４１の前端に相当）が所定の高さにまで上昇したときには、前記ピン８２がプレート７２の長穴７３上端に当接して、それ以降の上昇を阻止することとなる。そのため、衝撃による座部４１の姿勢の乱れを抑えることができる。
【産業上の利用可能性】
【００５９】
本発明に係る車両用シート１０は、四輪車に好適である。
【図面の簡単な説明】
【００６０】
【図１】実施例１に係る車両用シート１０を左側前方より示した図である。
【図２】図１に示す車両用シート１０の衝撃吸収構造の分解斜視図である。
【図３】衝撃吸収プレート３１の他の実施形態を示す図である。
【図４】衝撃吸収プレート３１の他の実施形態を示す図である。
【図５】衝突により乗員に及ぶ衝撃の大きさを示すグラフである。
【図６】衝撃吸収プレート３１の他の実施形態を示す図である。
【図７】衝撃吸収プレート３１の他の実施形態を示す図である。
【図８】衝撃吸収プレート３１の他の実施形態を示す図である。
【図９】実施例１に係る車両用シート１０の「引き剥がし」のプロセスを示す図である。
【図１０】実施例１におけるストッパ部材７１の説明図及びその作用図である。
【図１１】特許文献１に記載された先行技術の基本構成を示す図である。
【符号の説明】
【００６１】
１０    車両用シート
１１    車体
３１    衝撃吸収プレート
３５    凸部
４１    座部
４５    切断部
４７    荷重受け部
５１    脆弱部
５２    引き剥がし部
５５    貫通孔
７１    ストッパ部材
７３    弧状長穴
７２    プレート
８１    規制ブラケット
８２    ピン
【図１】
2008222021.tif 000003
【図２】
2008222021.tif 000004
【図３】
2008222021.tif 000005
【図４】
2008222021.tif 000006
【図５】
2008222021.tif 000007
【図６】
2008222021.tif 000008
【図７】
2008222021.tif 000009
【図８】
2008222021.tif 000010
【図９】
2008222021.tif 000011
【図１０】
2008222021.tif 000012
【図１１】
2008222021.tif 000013